(57)【要約】【課題】新規単管内にバイパス用のホースを挿通して新規単管を鞘管内に敷設する場合、簡単な工法で接続される管同士の芯出しが行え、しかも管内に十分な広さの安全空間を持つことの出来る施工を可能とすることを課題とする。【解決手段】既設管路等を鞘管２１として、新規単管１０を搬入し順次接合して新規管路３を敷設していく鞘管工法において、新規単管１０を鞘管２１内に同軸状に維持する治具であって、鞘管２１内面に当接される長尺ブロック体の一方側が鞘管２１内面と新規管路３の端面１０ａ外周との隙間に、新規管路３の端面側１０ａから新規管路３の管軸奥方へ向け介挿されるスペーサ用テーパ部２３とされ、他方側が新規管路３の端面側１０ａから管軸に沿って反方向へ延出するガイド用テーパ部２４とされてなるものであ。【選択図】  図１
2004197875.tif 000002
【特許請求の範囲】
【請求項１】
既設管路等を鞘管として、該鞘管内に新規単管を搬入し順次接合して新規管路を敷設していく鞘管工法において、前記新規単管を鞘管内に同軸状に維持する治具であって、前記鞘管内面に当接される長尺ブロック体の一方側が鞘管内面と新規管路の端面外周との隙間に、該新規管路の端面側から新規管路の管軸奥方へ向け介挿されるスペーサ用テーパ部とされ、他方側が該新規管路の端面側から管軸に沿って前記と反方向へ延出するガイド用テーパ部とされてなる鞘管工法における管接続用治具。
【請求項２】
請求項１の鞘管工法における管接続用治具におけるスペーサ用テーパ部の頂点部が、ガイド用テーパ部の頂点部より、接続される新規管路の管壁肉厚と同等分だけ高くされ、前記二つの頂点間に段差が設けられてなる鞘管工法における管接続用治具。
【発明の詳細な説明】
【０００１】
【発明の属する技術分野】
この発明は、鞘管工法における管接続用治具に関する。
【０００２】
【従来の技術】
管路が老朽化するなどして新規管路に敷設替えする場合の工法として、既設管内に新規管を搬入し既設管内に新管を付設していく鞘管工法が知られている（非特許文献１）。
【０００３】
ところで、この工法は、既設管路内で新規管の芯出しを行いつつ新規管を接続していくが、そのために例えば図６に示すような芯出し装置が使用される。
図６において、芯出し装置１は、本体部２が、新規に敷設されていく新規管路３の管軸方向に距離をおいた一対の枠状体４、４どうしが管軸方向のビーム５によって連結されることで、フレーム構造をなすように構成されている。
【０００４】
本体部２における下部のビーム５には、それぞれ管軸方向の車輪６、６が設けられている。
本体部２における上部には枠状体４、４の上部に水平方向に支持竿部７が設けられている。そして支持竿部７は、その一端部８が本体部２から水平方向に延出している。すなわち、支持竿部７の一端部８は、心出し装置１の枠状体４を新規管路３の受口９の近傍に位置させたときに水平方向に延出して、この新規管路３に接近した新規単管１０の内部に挿入されるように構成されている。
【０００５】
支持竿部７の先端には、新規単管１０の支持部１１が設けられており、運搬台車１２によって運ばれてきた新規単管１０は、この支持部１１に支持され、新規管路３の受口９へとガイドされ、接続される（特許文献１）。
【０００６】
ところで、このような鞘管工法を不断水状態で施工する方法として、図７に示すように老朽管など既設管路１３の上流部分に、更新すべき管路の長さのホース１５を連結した栓（図示せず）を嵌合し、上流部分の水を栓で堰き止めると共にホース１５で下流へとバイパスさせ、一方新規管路３内および新規単管１０へはこのホース１５を内部に挿通させて既設管路１３内を移動させ、順次接合して新規管路３を形成する不断水工法が提案されている。
【０００７】
【非特許文献１】
久保田鉄工株式会社、昭和６０年度発行「ダクタイル管施工ハンドブック」第335頁
【０００８】
【特許文献１】
特開２００２-１１５７７７号公報
【０００９】
【発明が解決しようとする課題】
ところが、このような工法を図６で示した芯出し装置１を用いて実施しようとすると、新規管路３内に挿通されるホース１５が邪魔になって芯出し装置１の本体部２の設置が困難となり、また、本体部２にホース１５の挿通される空間部（図示省略）などを設けて施工出来るようにしても、今度はホース１５と本体部２で管内が遮断された状態になるので、破断漏水事故が発生したときなど本体部２より新規管路３の奥方で作業していた作業員の避難が困難かできなくなるという問題が考えられる。
【００１０】
この発明は、上記問題点を解消し、新規単管内にバイパス用のホースを挿通して新規単管を老朽管内に敷設する場合、簡単な工法で接続される管同士の芯出しが行え、しかも管内に十分な広さの安全空間を持つことの出来る施工を可能とすることを課題としてなされたものである
【００１１】
【課題を解決するための手段】
上記課題を達成するため請求項１の発明は、既設管路等を鞘管として、該鞘管内に新規単管を搬入し順次接合して新規管路を敷設していく鞘管工法において、前記新規単管を鞘管内に同軸状に維持する治具であって、前記鞘管内面に当接される長尺ブロック体の一方側が鞘管内面と新規管路の端面外周との隙間に、該新規管路の端面側から新規管路の管軸奥方へ向け介挿されるスペーサ用テーパ部とされ、他方側が該新規管路の端面側から管軸に沿って前記と反方向へ延出するガイド用テーパ部とされてなるものである。
【００１２】
即ち、この管接続用治具によれば、老朽管内における管接続には、まず既に接続した管路部分にスペーサ用テーパ部を挿入し、そのように固定した管接続用治具のガイド用テーパ部にこれから接続する新規単管の管端部を載せて既設管路の管受口へとガイドしていく。
【００１３】
これにより、管内に複雑な構造の芯出し装置を配置しなくても容易に同一軸に沿って新規管路を老朽管内に敷設していくことが出来るのである。
請求項２の発明は、請求項１の鞘管工法における管接続用治具におけるスペーサ用テーパ部の頂点部が、ガイド用テーパ部の頂点部より、接続される新規単管の管壁肉厚と同等分だけ高くされ、前記二つの頂点間に段差が設けられてなるものである。
【００１４】
従って、この治具によれば、段差部分で新規単管の挿入高さが既設管の受口に案内されるので接続が容易となる。
【００１５】
【発明の実施の形態】
次に、この発明の実施の形態である鞘管工法における管接続用治具について説明する。
【００１６】
図１はこの発明の実施の形態である鞘管工法における管接続用治具の正面図、図２は図１の左側面図、図３は図１の右側面図である。
図１において、管接続用治具２０は、老朽管路などを鞘管２１として、この鞘管２１内に新規単管１０を搬入し順次接合して行く場合、この鞘管２１内面に当接される長尺ブロック体２２の一方側が鞘管２１内面と新規管路３の端面１０ａ外周との隙間ｈに、管軸奥方へ向け介挿されるスペーサ用テーパ部２３とされ、他方側が新規管路３の端面１０ａ側から管軸に沿って前記と反方向へ延出するガイド用テーパ部２４とされて構成されている。
【００１７】
なお、上記スペーサ用テーパ部２３とガイド用テーパ部２４の頂部間には新規単管１０の管端部の肉厚に相当する段部２５を設けるのが好ましい。
また、長尺ブロック体２２は、新規単管１０の重量を支え得る強度とされていれば特に限定されないが、例えばＦＷ管、合成樹脂管等の廃材を粉砕混合し、これらを原料として加熱プレスなどによって成形したものであっても良い。
【００１８】
次に、鞘管工法における管接続用治具の使用方法を説明する。
まず、老朽管路などの鞘管２１内にバイパス水路用のホース１５を挿通配置し、新規単管１０をマンホール（図示せず）から鞘管２１内に搬入し、次いでホース１５を一時断水し、このホース１５を新規単管１０内に挿通する。
【００１９】
そして、新規単管１０の軸方向両端部分にローラ２６を取り付け、ホース１５内の通水を再開し、新規単管１０を更新管路へと移動させていく。
そして、既に設置された新規管路３の端面１０ａと鞘管２１内面との間にスペーサ用テーパ部２３を介挿し、新規管路３を鞘管２１に対し同軸に調整すると同時に、ガイド用テーパ部２４を鞘管の管軸方向に沿うように配置する。
【００２０】
なお、この管接続用治具２０は、図５に示すように管の下面２個所あるいは３個所にわたって介挿する（図示例は２個所）。
また、既に設置された新規管路３は、頂部から側部にかけては、スペーサブロク２７…を介挿することによって、鞘管２１内に同軸に固定されている。
【００２１】
新たに搬入された新規単管１０は、図４に示すように、既設の新規管路３の端部１０ａに近づきガイド用テーパ部２４に達すれば、接続側の車輪２６を外し新規単管１０の端部１０ｂをガイド用テーパ部２４上に載せ、テーパ部２４に沿ってせり上げつつ軸方向へ移動させる。
【００２２】
既設管路３に対し接続すべき新規単管１０が近づけばこの新規単管１０は既設管路３に対し同軸となるように案内され、そのまま軸方向へ移動させることで接続される。
【００２３】
そして、このようにして順次、管接続用治具２０ならびにスペーサブロック２７で新規管路３を鞘管２１と同軸に固定すると共に、ガイド用テーパ部２４を利用して新規単管１０を接続し新規管路３を敷設した後は、鞘管２１内面と新規管路３外面との間に必要に応じてグラウトなどを注入するのである。
【００２４】
従って、鞘管２１内に搬入される新規単管１０は、内部に芯出し装置を組み込むことなく管接続用治具２０によって同軸状態に整列され、また管内にバイパス用のホース１５が挿通されていても芯出し装置により管内が遮断されることがないので、危急時の安全が確保される。
【００２５】
また、管接続用治具２０は、プラスチック廃材等を利用して成形できるので、廃物利用ならびに、そのまま使い捨てにすることもでき、経済的な使用が可能となる等の効果を有する。
【００２６】
【発明の効果】
以上説明したように、鞘管内に新規単管を搬入し接続していく場合、新規管路内に芯出し装置を組み込むことなく同軸状態に整列させることができ、管内にバイパス用のホースが挿通されていても芯出し装置により管内が遮断されるといったことがないので、危急時の安全が確保される。
【００２７】
また、管接続用治具は、プラスチック廃材等を利用して成形できるので、廃物利用ならびに、そのまま使い捨てにすることもでき、経済的な使用が可能となる等の効果を有する。
【図面の簡単な説明】
【図１】鞘管工法における管接続用治具の側面図である。
【図２】図１の左側面図である。
【図３】図１の右側面図である。
【図４】使用状態を示す側断面図である。
【図５】図４のＡ-Ａ線断面図である。
【図６】従来工法を説明する断面図である。
【図７】従来工法において、バイパス用ホースを敷設した状態を説明する断面図である。
【符号の説明】
３      新規管路
１０      新規単管
２０      管接続用治具
２１      老朽管路などの鞘管
２２      長尺ブロック体
２３      スペーサ用テーパ部
２４      ガイド用テーパ部
【図１】
2004197875.tif 000003
【図２】
2004197875.tif 000004
【図３】
2004197875.tif 000005
【図４】
2004197875.tif 000006
【図５】
2004197875.tif 000007
【図６】
2004197875.tif 000008
【図７】
2004197875.tif 000009